【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
配線基板に取り付けられる防水コネクタであって、
前記配線基板を挟み込み、前記配線基板との対向面に内側収容部が形成される一対のリテーナと、
ホットメルトシール材からなり、少なくとも前記内側収容部に充填される第１のシール部材と、を備え、
一対の前記リテーナにおいて、前記防水コネクタの挿抜方向に沿った面のうち、前記対向面とは反対側に位置する外側面と、前記対向面と前記外側面とに交差する側面とには、前記第１のシール部材を受け入れる外側収容部が形成され、
前記リテーナは、平面視において、前記外側面における前記外側収容部の部分と、前記内側収容部とが重複する重複部分を有し、
少なくとも一方の前記リテーナには、前記リテーナの前記重複部分における前記防水コネクタの挿抜方向の全域に亘って前記重複部分を切り欠く少なくとも一つの切り欠きを含む欠損部が形成され、
前記欠損部には、前記第１のシール部材が充填され、
前記内側収容部は、前記側面で前記外側収容部と連通し、
前記第１のシール部材は、
前記内側収容部に収容された内側シール部と、
前記欠損部及び前記リテーナの前記側面に位置する前記外側収容部に収容され、前記内側シール部と一体的に形成される接続シール部と、を有し、
前記接続シール部は、前記リテーナの前記外側面に回り込んでおり、
平面視において、前記欠損部の面積は、前記重複部分において前記欠損部が形成されない部分の面積と比較して相対的に広いことを特徴とする防水コネクタ。
【請求項２】
請求項１に記載の防水コネクタであって、
前記切り欠きは、平面視において、前記防水コネクタの挿抜方向と直交する方向の前記重複部分の両側を切り欠く第１及び第２の切り欠きを含んでいることを特徴とする防水コネクタ。
【請求項３】
請求項１又は２記載の防水コネクタであって、
前記欠損部は、前記リテーナの前記重複部分を貫通し、前記第１のシール部材が充填される開口をさらに含んでいることを特徴とする防水コネクタ。
【請求項４】
請求項１〜３の何れかに記載の防水コネクタであって、
前記欠損部は、前記防水コネクタの挿抜方向における前記内側収容部の中心線を基準として線対称に配置されていることを特徴とする防水コネクタ。
【請求項５】
請求項１〜４の何れかに記載の防水コネクタであって、
前記リテーナは、第１のリテーナ及び第２のリテーナを含み、
前記欠損部は、
前記第１のリテーナに形成された第１の欠損部と、
前記第２のリテーナに形成された第２の欠損部と、を含んでおり、
前記配線基板には、前記リテーナの前記内側収容部と対応する位置に貫通孔が形成され、
前記第１の欠損部及び前記第２の欠損部内に位置する前記接続シール部は、前記第１のシール部材において前記貫通孔に充填された部分及び前記内側シール部を介して相互に接続されていることを特徴とする防水コネクタ。
【請求項６】
請求項５記載の防水コネクタであって、
前記第１の欠損部と前記第２の欠損部とは、相互に対向するように配置されていることを特徴とする防水コネクタ。
【請求項７】
請求項６記載の防水コネクタであって、
前記第１のリテーナには、前記内側収容部内に向かって突出する第１の突起が形成され、
前記第２のリテーナには、前記内側収容部内に向かって突出する第２の突起が形成されており、
前記第１の突起と前記第２の突起とは、相互に対向するように配置されていることを特徴とする防水コネクタ。
【請求項８】
請求項１〜７の何れかに記載の防水コネクタであって、
前記第１のシール部材及び一対の前記リテーナからなるコネクタ本体と、
前記コネクタ本体を収容するハウジングと、
前記コネクタ本体と前記ハウジングの間に介在し、前記コネクタ本体と前記ハウジングの間をシールする第２のシール部材と、を備えたことを特徴とする防水コネクタ。
【手続補正２】
【補正対象書類名】明細書
【補正対象項目名】０００６
【補正方法】変更
【補正の内容】
【０００６】
本発明に係る防水コネクタは、配線基板に取り付けられる防水コネクタであって、前記配線基板を挟み込み、前記配線基板との対向面に内側収容部が形成される一対のリテーナと、ホットメルトシール材からなり、少なくとも前記内側収容部に充填される第１のシール部材と、を備え、一対の前記リテーナにおいて、前記防水コネクタの挿抜方向に沿った面のうち、前記対向面とは反対側に位置する外側面と、前記対向面と前記外側面とに交差する側面とには、前記第１のシール部材を受け入れる外側収容部が形成され、前記リテーナは、平面視において、前記外側面における前記外側収容部の部分と、前記内側収容部とが重複する重複部分を有し、少なくとも一方の前記リテーナには、前記リテーナの前記重複部分における前記防水コネクタの挿抜方向の全域に亘って前記重複部分を切り欠く少なくとも一つの切り欠きを含む欠損部が形成され、前記欠損部には、前記第１のシール部材が充填され、前記内側収容部は、前記側面で前記外側収容部と連通し、前記第１のシール部材は、前記内側収容部に収容された内側シール部と、前記欠損部及び前記リテーナの前記側面に位置する前記外側収容部に収容され、前記内側シール部と一体的に形成される接続シール部と、を有し、前記接続シール部は、前記リテーナの前記外側面に回り込んでおり、平面視において、前記欠損部の面積は、前記重複部分において前記欠損部が形成されない部分の面積と比較して相対的に広いことを特徴とする。
【手続補正３】
【補正対象書類名】明細書
【補正対象項目名】０００７
【補正方法】変更
【補正の内容】
【０００７】
上記発明において、前記切り欠きは、平面視において、前記防水コネクタの挿抜方向と直交する方向の前記重複部分の両側を切り欠く第１及び第２の切り欠きを含んでいてもよい。
上記発明において、前記欠損部は、前記リテーナの前記重複部分を貫通し、前記第１のシール部材が充填される開口をさらに含んでいてもよい。
【手続補正４】
【補正対象書類名】明細書
【補正対象項目名】０００９
【補正方法】変更
【補正の内容】
【０００９】
上記発明において、前記リテーナは、第１のリテーナ及び第２のリテーナを含み、前記欠損部は、前記第１のリテーナに形成された第１の欠損部と、前記第２のリテーナに形成された第２の欠損部と、を含んでおり、前記配線基板には、前記リテーナの前記内側収容部と対応する位置に貫通孔が形成され、前記第１の欠損部及び前記第２の欠損部内に位置する前記接続シール部は、前記第１のシール部材において前記貫通孔に充填された部分及び前記内側シール部を介して相互に接続されていてもよい。
上記発明において、前記第１の欠損部と前記第２の欠損部とは、相互に対向するように配置されていてもよい。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１４
【補正方法】変更
【補正の内容】
【００１４】
本発明によれば、少なくとも一方のリテーナに、リテーナの重複部分における防水コネクタの挿抜方向の全域に亘って重複部分を切り欠く少なくとも一つの切り欠きを含む欠損部が形成され、第１のシール部材が、内側収容部に収容される内側シール部と、欠損部及びリテーナの側面に位置する外側収容部に収容され、内側シール部と一体的に形成される接続シール部と、を有し、接続シール部がリテーナの外側面に回り込んでいるので、防水性能の向上を図ることができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】